(57)【要約】【課題】  利用者側で表示条件を指定可能であり、画像データの表示処理、選択処理を迅速に行い操作性を向上させることを可能とする画像出力装置等を提供する。【解決手段】  画像出力装置１０１は、表示条件指定画面６０１を表示する（ステップ５０２）。表示条件指定画面６０１には、表示条件の選択項目として、日付フォルダ６０２が日付毎（撮影日時毎、作成日時毎）に表示される。日付フォルダ６０２には、日付６０３、代表画像６０４、画像データ数６０５等が併せて表示される。利用者は、表示条件指定画面６０１において、日付フォルダ６０２を選択することにより表示条件（撮影日付）を指定する（ステップ５０３）。利用者が日付フォルダ６０２を選択した後、画像出力装置１０１は、画像データを検索、抽出し、画像データ選択画面６２１（一覧画面）に当該日付フォルダに属する画像データ６２２の一覧を表示する（ステップ５０４）。【選択図】  図６
2005119083.tif 000002
【特許請求の範囲】
【請求項１】
記録媒体から画像データを入力する入力手段と、
表示条件毎に選択項目を表示し、前記選択項目を選択することにより前記表示条件を指定する表示条件指定手段と、
前記表示条件に基づいて前記画像データを表示する表示手段と、
前記画像データを印刷出力する出力手段と、
を具備することを特徴とする画像出力装置。
【請求項２】
前記表示条件指定手段は、前記表示条件に該当する少なくとも１の代表画像データを前記選択項目と対応付けて表示することを特徴とする請求項１に記載の画像出力装置。
【請求項３】
前記表示条件指定手段は、前記表示条件に該当する少なくとも１の代表画像データを前記選択項目と対応付けて表示し、前記代表画像データを切替表示することを特徴とする請求項１に記載の画像出力装置。
【請求項４】
前記表示条件指定手段は、前記表示条件に該当する画像データに関する情報を前記選択項目と対応付けて表示することを特徴とする請求項１に記載の画像出力装置。
【請求項５】
前記表示条件は、前記画像データの作成あるいは撮影に係る日付、年、月、週、時間のうち少なくともいずれかであることを特徴とする請求項１に記載の画像出力装置。
【請求項６】
前記選択項目をカレンダ上に表示することを特徴とする請求項１に記載の画像出力装置。
【請求項７】
コンピュータを請求項１から請求項６までのいずれかに記載の画像出力装置として機能させるプログラム。
【請求項８】
コンピュータを請求項１から請求項６までのいずれかに記載の画像出力装置として機能させるプログラムを記録した記録媒体。
【請求項９】
記録媒体から入力される画像データを印刷出力する画像出力装置が実行する画像表示方法であって、
表示条件毎に選択項目を表示し、前記選択項目を選択することにより前記表示条件を指定する表示条件指定工程と、
前記表示条件に基づいて前記画像データを表示する表示工程と、
を具備する画像表示方法。
【請求項１０】
前記表示条件指定工程は、前記表示条件に該当する少なくとも１の代表画像データを前記選択項目と対応付けて表示することを特徴とする請求項９に記載の画像表示方法。
【請求項１１】
前記表示条件指定工程は、前記表示条件に該当する少なくとも１の代表画像データを前記選択項目と対応付けて表示し、前記代表画像データを切替表示することを特徴とする請求項９に記載の画像表示方法。
【発明の詳細な説明】
【技術分野】
【０００１】
本発明は、デジタルカメラで撮影した画像、スキャナで読込んだ画像、持参した記録媒体に記録されている画像データ、装置に予め保存してある画像等を合成編集してプリントできる画像出力装置等に関する。
【背景技術】
【０００２】
近年、画像出力装置（デジタルフォトプリント装置等）が街頭端末（ＫＩＯＳＫ端末）として店舗内や街頭に設置され、利用されている。この画像出力装置は、デジタルカメラ等で撮像した画像、記録媒体に記録されている画像データ等を読み込んで、画像編集、画像合成、プリント出力等を行う（例えば、［特許文献１］、［非特許文献１］参照。）。
【０００３】
画像出力装置は、駅前の証明写真撮影コーナー、ゲームセンター等のアミューズメント施設等に設置され、利用者は、自分のデジタルカメラで撮影した画像データを記録した記録媒体を持参して画像出力装置に読み取らせ、あるいは、その場で撮影を行い、必要に応じて画像編集処理等を行い、出力サイズ、出力枚数等を指定して高精細なカラープリントを出力し、そのまま持ち帰ることができる。
【０００４】
また、画像出力装置における画像の表示、画像の選択等に関しては、画像が保存された記録媒体がメディアリーダに差し込まれると、画像出力装置は複数のサムネイル画像等による画像一覧を表示するのが一般的であり、利用者は、この画像一覧から印刷出力する画像を選択する。
【０００５】
【特許文献１】特開２００２−４６３２４号公報
【非特許文献１】大日本印刷株式会社、"デジカメプリントのすすめ"、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【発明の開示】
【発明が解決しようとする課題】
【０００６】
しかしながら、従来の画像出力装置における画像一覧表示は、撮影した日付順（日付の区切りはできない。）、ファイル名のアルファベット順であり、また、表示される画像数も、２行×５列で１０画像等、予め取り決めた固有の順番、表示方法で表示されているため、プリントしたい画像の選択が煩雑になったり、プリントの対象でない画像まで扱うことにより、処理時間がかかるという問題点がある。
例えば、記録媒体内に数多くの画像（例えば、１００以上の画像）が記録されている場合、そのうち、ある特定の期間に撮影したものだけについて処理したい場合であっても、その前後の期間の画像も表示されてしまうという問題点がある。
【０００７】
また、従来の画像出力装置は、日付を指定して画像を表示することができないので、利用者（ユーザ、オペレータ等）は、不快感、不自由感を禁じ得ないという問題点がある。
【０００８】
本発明は、以上の問題点に鑑みてなされたものであり、利用者側で表示条件を指定可能であり、画像データの表示処理、選択処理を迅速に行い操作性を向上させることを可能とする画像出力装置等を提供することを目的とする。
【課題を解決するための手段】
【０００９】
前述した目的を達成するために第１の発明は、記録媒体から画像データを入力する入力手段と、表示条件毎に選択項目を表示し、前記選択項目を選択することにより前記表示条件を指定する表示条件指定手段と、前記表示条件に基づいて前記画像データを表示する表示手段と、前記画像データを印刷出力する出力手段と、を具備することを特徴とする画像出力装置である。
【００１０】
第１の発明では、画像出力装置は、記録媒体から画像データ及びその付随情報（撮影日時、ファイル名、フォルダ名等）を取得すると、表示条件毎（日付毎等）に選択項目（日付フォルダ等）を表示し、選択項目を選択することにより表示条件を指定し、指定された表示条件に該当する画像データ（サムネイル画像による画像一覧等）を表示し、さらに画像データが選択されると印刷出力する。
【００１１】
また、画像出力装置は、選択項目が示す表示条件（日付等）、選択項目が示す表示条件に該当する少なくとも１の代表画像データ、選択項目が示す表示条件に該当する画像データに関する情報（画像データ数等）等を当該選択項目と対応付けて表示するようにしてもよい。
また、画像出力装置は、選択項目に属する画像データを順次切り替え、代表画像データとして表示するようにしてもよい。
また、画像出力装置は、選択項目をカレンダ上に表示するようにしてもよい。
【００１２】
記録媒体（メディア）は、画像データを記録する記録媒体であり、例えば、スマートメディア、コンパクトフラッシュ（登録商標）カード（ＣＦカード）、フロッピー（登録商標）ディスク、ＰＣカード、光ディスク（ＣＤ−ＲＯＭ等）等である。
表示条件は、一覧表示等を希望する画像データの条件であり、例えば、画像データの作成あるいは撮影に係る日付、年、月、週、時間、時間帯等である。
選択項目は、表示条件を指定するための選択項目を示し、例えば、日付を指定するために日付毎に表示される日付フォルダである。
【００１３】
第１の発明では、画像出力装置は、利用者が指定した表示条件（撮影日付等）に基づいて、画像データの一覧を表示するので、利用者は、表示条件を指定することにより、所望の画像データに容易に辿り着くことができる。また、画像出力装置は、表示条件に該当する画像データのみを一覧表示するので、利用者にとって不必要な画像データについて処理することがなく、迅速処理及び操作性の向上を図ることができる。
【００１４】
第２の発明は、コンピュータを第１の発明の画像出力装置として機能させるプログラムである。
第３の発明は、コンピュータを第１の発明の画像出力装置として機能させるプログラムを記録した記録媒体である。
上述のプログラムをＣＤ−ＲＯＭ等の記録媒体に保持させて流通させてもよいし、このプログラムを通信回線を介して送受することもできる。
【００１５】
第４の発明は、記録媒体から入力される画像データを印刷出力する画像出力装置が実行する画像表示方法であって、表示条件毎に選択項目を表示し、前記選択項目を選択することにより前記表示条件を指定する表示条件指定工程と、前記表示条件に基づいて前記画像データを表示する表示工程と、を具備する画像表示方法である。
第４の発明は、第１の発明の画像出力装置が実行する画像表示方法に関する発明である。
【発明の効果】
【００１６】
本発明によれば、利用者側で表示条件を指定可能であり、画像データの表示処理、選択処理を迅速に行い操作性を向上させることを可能とする画像出力装置等を提供することができる。
【発明を実施するための最良の形態】
【００１７】
以下、添付図面を参照しながら、本発明に係る画像出力装置等の好適な実施形態について詳細に説明する。なお、以下の説明及び添付図面において、略同一の機能構成を有する構成要素については、同一の符号を付することにより重複説明を省略することにする。
【００１８】
最初に、図１を参照しながら、本発明の実施の形態に係る画像出力装置１０１の構成について説明する。
図１は、画像出力装置１０１の構成を示すブロック図である。
【００１９】
画像出力装置１０１は、画像データ読込書込手段１１１、画像編集合成手段１１２、素材データベース１１３、プリント手段１１４、注文内容入力手段１１５、課金手段１１６、表示手段１１７、表示条件指定手段１１８等を備える。
【００２０】
画像データ読込書込手段１１１は、被写体１２１（利用者）をデジタルカメラ等の撮像装置により撮像したり、原稿１２２をスキャナ装置等の原稿読取装置により読み取ったり、予め画像データが記録された記録媒体１２３（メディア）から読み取ることにより、画像データを取得する。また、画像データ読込書込手段１１１は、画像出力装置１０１が作成した画像データを記録媒体１２３に記録することもできる。
記録媒体１２３は、例えば、スマートメディア、コンパクトフラッシュ（登録商標）カード（ＣＦカード）、フロッピー（登録商標）ディスク、ＰＣカード、光ディスク（ＣＤ−ＲＯＭ等）等である。
【００２１】
画像編集合成手段１１２は、１つ以上の入力または選択した画像データに対して、落書き、スタンプのような加工、画像データの切抜き、変倍、切抜いた画像の他の画像への貼付け等、合成編集等を対話的に行う対話型インタフェース手段と画像処理プログラムで構成される。加工や合成編集に扱う画像データとしては、素材データベース１１３に存在する素材画像データ、フレーム画像データ等を用いることもできる。
【００２２】
プリント手段１１４は、高解像度カラープリンタである。昇華型あるいはインキジェット型などの方式は問わない。プリント物１２４は、プリント出力された撮像による証明写真、デジタルカメラ画像等による写真、シールプリント、葉書等である。
【００２３】
注文内容入力手段１１５により利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合、サムネイル画像を表示し、複数コマ分の画像データを入力した場合のどの画像をプリントするかの指定（デジタルカメラ画像を出力する場合のサムネイル画像のモニタ表示と画像選択）、プリント枚数やプリントサイズの指定等がある。尚、利用者は、画像を出力する前に、１つ以上の画像データを指定して加工および合成編集することができる。
【００２４】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
【００２５】
表示手段１１７は、画像データを表示するＣＲＴや液晶パネル等の表示装置である。表示手段１１７は、表示条件指定手段１１８により指定された表示条件に基づいて画像データを表示する。
表示条件指定手段１１８は、表示条件を指定するための選択項目を表示し、利用者は、選択項目を選択することにより表示条件（画像データの作成あるいは撮影した日付、年、月、週、時間、時間帯等）を指定する。
【００２６】
次に、図２を参照しながら、画像出力装置１０１の外観構成について説明する。
図２は、画像出力装置１０１の外観斜視図である。
【００２７】
画像出力装置１０１（本体）の上段部正面には、タッチパネル付きモニタ等であるモニタ画面２０１が配置されている。モニタ画面２０１は、操作の案内や、操作の状況や、読み取った画像あるいは編集加工した画像等を表示する表示手段１１７としての機能を発揮する。
【００２８】
モニタ画面２０１の画面の横には、メディア挿入口２０２が設置される。上段部と下段部を分けている水平部には、プリント物の画像を読み取ってデジタルデータ化するスキャナ面２０３が設置される。また、モニタ画面２０１の画面の上には、デジタルカメラ等の撮像装置により被写体（利用者等）を撮像するためのレンズ窓２０４が設置される。
これらのメディア挿入口２０２、スキャナ面２０３、窓２０４は、画像データ読込書込手段１１１の一部を構成する。
【００２９】
メディア挿入口２０２は、各種メディア（スマートメディア、コンパクトフラッシュ（登録商標）カード（ＣＦカード）、フロッピー（登録商標）ディスク、ＰＣカード、光ディスク（ＣＤ−ＲＯＭ等）等）の受付部であり、フロッピ（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。また、画像出力装置１０１の本体内には上記各記録メディアの種類に対応して、それぞれの読取装置（メディアリーダ）の本体（図示しない。）が設置されている。
【００３０】
また、各挿入口には、開閉カバー（シャッタ）を備えても良い。この場合、開閉扉の開閉を制御することにより、処理中に記録メディアを取り出せないようにしたり、課金処理、手数料の徴収が完了するまで記録メディアを取り出せないようにすることができる。
【００３１】
画像出力装置１０１の下段部には、プリント物取出口２０５、スピーカ２０６等が設置され、この他、料金投入口（硬貨投入口、紙幣挿入口）、返却レバー、返却口、レシート取出口、メインテナンスキー、ドア開閉キー等が配置される。
【００３２】
プリント物取出口２０５は、プリント手段１１４の一部を構成する。利用者は、タッチパネルボタンに触れるなどしてプリント実行を指示した後、プリント物取出口２０５から放出されるプリント物を受け取る。
スピーカ２０６は、操作中あるいは待機中に、警告音、確認音、操作案内メッセージ、音声、ＢＧＭ、効果音等を再生する。
【００３３】
また、画像出力装置１０１の本体内には、図示しないが、各構成部分を制御するための制御部を含むパーソナルコンピュータや、電圧の変換を行う電源ボックス、停電時に制御部のＣＰＵやハードディスク等の破損を防ぐ無停電電源装置等が設置される。
【００３４】
次に、図３を参照しながら、画像出力装置１０１のハードウェア構成について説明する。
図３は、画像出力装置１０１のハードウェア構成図である。
【００３５】
画像出力装置１０１は、制御部３０１、記憶部３０２、入出力部３０３、デジタルカメラ３０４、スキャナ３０５、各種メディア読取書込部３０６（１〜ｎ）、モニタ３０７（タッチパネル付き）、コインメック３０８、ビルバリ３０９、レシートジャーナル処理部３１０、プリンタ３１１等が、システムバス３１２を介して接続される。
【００３６】
制御部３０１は、ＣＰＵ、ＲＯＭ、ＲＡＭ等で構成され、大容量記憶媒体としてのハードディスク等である記憶部３０２に格納されたプログラムに従って、システムバス３１２を介して接続された各装置を駆動制御する。
【００３７】
記憶部３０２には、各構成部分を駆動制御するプログラム、例えば各記録メディアに対応する読取書込プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３０７に表示し、プリント手段１１４に対してプリント条件を設定して、プリント開始を指示するプログラム、および、画像の合成に用いるフレーム、背景画像、ぬりえ用の線画イラスト画像等の画像データを記憶した素材データベース１１３、各種設定データ等が格納されている。
【００３８】
尚、これらの各プログラムコードは、制御部３０１により必要に応じて読み出されてＲＡＭに移され、ＣＰＵに読み出されて各種の手段として実行される。
また、制御部３０１のメモリあるいは記憶部３０２は、処理に必要なデータ、画像データ等の情報を一時的に保持することもできる。
【００３９】
入出力部３０３（ＣＤ−ＲＯＭドライブ装置、キーボード、マウス等）は、制御部３０１のＲＯＭや記憶部３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００４０】
デジタルカメラ３０４、スキャナ３０５、各種メディア読取書込部３０６（１〜ｎ）は、画像データの取得、入力を行う。これらは、画像データ読込書込手段１１１に相当する。
【００４１】
モニタ３０７に表示された操作案内に従って、同モニタ３０７に表示されたタッチパネルボタンを選択し触れることにより、プリントモードの選択およびオリジナル画像データの読み込みから、加工、合成編集、プリント物の出力までの一連の操作を行うことができる。モニタ３０７は、上記表示手段１１７に相当する。
【００４２】
コインメック３０８、ビルバリ３０９、レシートジャーナル処理部３１０は、課金手段１１６に相当し、硬貨投入、紙幣挿入を受け付けたり、レシートの発行を行う。
プリンタ３１１は、プリント手段１１４に相当し、画像の印刷出力処理を行う。
システムバス３１２は、各部、各装置間の制御信号、データ信号等の授受を媒介する経路である。
【００４３】
次に、図４を参照しながら、画像出力装置１０１の動作について説明する。
図４は、画像出力装置１０１の動作を示すフローチャートである。
【００４４】
画像出力装置１０１（制御部３０１）は、サービスの内容、手順、案内等を示すメニュー画面を表示し、利用者に選択させる（ステップ４０１）。
画像出力装置１０１は、画像データを取得し、モニタ上へ表示する（ステップ４０２）。尚、利用者は、画像データの入力に際し、記録メディアからの読み取り、スキャナからの読み取り、撮像装置（デジタルカメラ等）による被写体の撮像等の方法を選択することができる。
【００４５】
画像出力装置１０１は、利用者の指示に基づいて、画像データの加工、編集、合成等を行う（ステップ４０３）。画像の加工、編集、合成は、例えば、入力画像データ同士、フレーム画像、既存画像等の合成、塗色、文字入力、移動、拡大・縮小、はがきデータ作成等である。
【００４６】
画像出力装置１０１は、利用者の注文内容（出力形態（写真プリント、シールプリント、インデックスプリント、はがきプリント等）、プリント枚数等）に応じて、課金処理、レシート発行処理を行う（ステップ４０４）。
【００４７】
画像出力装置１０１は、色修正、リサイズ、トリミング、レイアウト、文字・ロゴ合成等の画像処理を行い（ステップ４０５）、画像処理した画像データをメモリ、ハードディスク装置等に保持し、出力可能状態となったプリンタ装置に当該画像データを転送し、印刷出力処理を行う（ステップ４０６）。
画像出力装置１０１の稼働を継続する場合（ステップ４０７のＮｏ）、画像出力装置１０１は、ステップ４０１〜ステップ４０７までの処理を繰り返す。
【００４８】
次に、図５及び図６を参照しながら、画像データの取得処理、表示処理（図４：ステップ４０２）における、画像出力装置１０１の動作について説明する。
【００４９】
図５は、画像データの取得処理、表示処理における、画像出力装置１０１の動作を示すフローチャートである。
図６は、画像データの取得処理、表示処理における、画像出力装置１０１の処理の流れを示す図である。
【００５０】
画像データを記録した記録媒体から、画像データを読み取り、実画像データの通常の出力等を行う場合、画像出力装置１０１は、表示条件指定画面を表示し、利用者は、この表示条件指定画面上で表示条件を指定する。画像出力装置１０１は、利用者が指定した表示条件に基づいて画像データ一覧を表示し、利用者は、この画像データ一覧から画像データの選択を行い、プリント枚数やプリントサイズの指定などを行う。尚、画像データ一覧は、縮小画像（サムネイル画像）等を用いて表示される。
【００５１】
画像出力装置１０１（制御部３０１）は、メディア挿入口に挿入された記録媒体１２３から画像データ（簡易画像データ、詳細画像データ、実画像データ等）、これに付随する画像管理情報を読み込む（ステップ５０１）。尚、画像管理情報は、画像データ撮影日時、画像データ作成日時、ファイル名、フォルダ名等である。
【００５２】
画像出力装置１０１は、モニタ画面に表示条件指定画面６０１を表示する（ステップ５０２）。表示条件指定画面６０１には、表示条件の選択項目として、日付フォルダ６０２が日付毎（撮影日時毎、作成日時毎）に表示される。
【００５３】
日付フォルダ６０２には、日付６０３、代表画像６０４、画像データ数６０５等が併せて表示される。
日付６０３は、日付フォルダ６０２により表示条件として指定される日付であり、例えば、「２００３年８月１日」である。
代表画像６０４は、日付フォルダ６０２に属する画像データの一部（例えば、当該日付における最初の画像データ等）を表示したものであり、簡易画像データを用いて表示したり、複数の画像データを表示するようにしてもよい。
画像データ数６０５は、日付フォルダ６０２に属する画像データの数を示し、例えば、「６枚」である。
【００５４】
利用者は、表示条件指定画面６０１において、日付フォルダ６０２をモニタ上でタッチして選択することにより表示条件（撮影日付）を指定する（ステップ５０３）。尚、利用者は、複数の日付フォルダ６０２を選択することもできる。
【００５５】
利用者が日付フォルダ６０２を選択して表示条件の指定を行った後にボタン６０６「表示」をモニタ上でタッチすると、画像出力装置１０１は、指定された表示条件に基づいて、画像データを検索、抽出し、画像データ選択画面６２１（一覧画面）に当該表示条件に該当する画像データ６２２の一覧を表示する（ステップ５０４）。
【００５６】
利用者が画像データ６２２を選択して印刷枚数を指定した後、ボタン６２４「決定」をモニタ上でタッチすると、画像出力装置１０１は、当該画像データについて印刷出力を行う。また、利用者が画像データ６２２を選択してボタン６２５「詳細表示」をモニタ上でタッチすると、画像出力装置１０１は、当該画像データの詳細画像を表示する（図示しない。）。
【００５７】
尚、画像出力装置１０１は、ボタン６０６「表示」がモニタ上でタッチされると、表示条件指定画面６０１から画像データ選択画面６２１に切り替え（Ｓ６１）、ボタン６２３「日付選択」がモニタ上でタッチされると、画像データ選択画面６２１から表示条件指定画面６０１に切り替える（Ｓ６２）。
また、日付指定する必要がない場合、利用者は、フォルダ６０７「全て表示」を選択して、全ての画像データについて一覧表示させることもできる。
【００５８】
このように、画像出力装置は、一覧表示したい画像を日付別等に予め表示して選択可能とする。また、日付等のみならず、同一日付内の画像データ数、日付内の設定された画像（代表画像等）も併せて表示することができる。さらに、一覧表示した後も日付別選択画面を再度呼び出して再選択することも可能である。例えば、一覧表示から日付選択画面に戻り、日付を再度指定できる。
従って、利用者は、所望の画像を日付単位等で容易に選択することができ、また、日付単位等に表示することにより過去の記憶に従い直感的に所望の画像を選択、表示することができる。
【００５９】
図７は、日付単位、週単位、月単位、年単位の選択項目（フォルダ）の一態様を示す図である。
日付フォルダ７０１は、日付単位の選択項目であり、日付７０５とともに表示される。週フォルダ７０２は、週単位の選択項目であり、週７０６とともに表示される。月フォルダ７０３は、月単位の選択項目であり、月７０７とともに表示される。年フォルダ７０４は、年単位の選択項目であり、年７０８とともに表示される。
【００６０】
上述の実施の形態では、表示条件を指定する選択項目として日付フォルダを用いるものとして説明したが、表示条件の指定は、日付に限られない。例えば、利用者が表示条件指定画面６０１において、ボタン６０８「週ごと」、ボタン６０９「月ごと」、ボタン６１０「年ごと」をモニタ上でタッチすると、画像出力装置１０１は、それぞれ、週単位、月単位、年単位に、選択項目（週フォルダ７０２、月フォルダ７０３、年フォルダ７０４）を表示し、利用者は、この選択項目を選択することにより、撮影年、撮影月、撮影週等の表示条件を指定することができる。
【００６１】
図８は、日付フォルダ８０１（選択項目）における代表画像の切替処理の説明図である。
画像出力装置１０１は、表示条件を指定する選択項目と共に代表画像を表示することができる。
利用者は、代表画像をみることにより、選択項目に属する画像データの概要を把握することができるので、所望の画像データに効率的に辿り着くことができ、画像出力装置の操作性も向上する。
【００６２】
画像出力装置１０１は、代表画像として、所定の画像データ（例えば、当該選択項目に属する先頭の画像データ）を固定的に表示するようにしてもよいし、当該選択項目に属する画像データを順次切り替えて表示（スライドショー表示等）するようにしてもよい。
【００６３】
図８に示すように、画像出力装置１０１は、日付フォルダ８０１（選択項目）と共に、代表画像８０２として、当該日付フォルダ８０１に属する画像データ８０３〜８０８を順次切り替えて表示する。
尚、代表画像８０２の切替処理のタイミングは、所定の時間経過と共に自動的に行われるようにしてもよいし、利用者がモニタ上において日付フォルダ８０１の代表画像８０２をタッチすることにより、代表画像の切替処理が行われるようにしてもよい。この場合、日付フォルダの代表画像以外の部分をタッチすることにより日付フォルダの選択を行い、代表画像の部分をタッチすることにより切替処理を行うようにしてもよい。
【００６４】
このように、画像出力装置は、同一日付内の画像を切り替えて表示することができるので、利用者は、選択項目（フォルダ）に属する画像データの内容をより的確に把握することができる。
【００６５】
図９は、表示条件指定画面９０１の一態様を示す図である。
上述の実施の形態では、表示条件を指定する選択項目は、表示条件指定画面上に順に並べて表示されるものとして説明したが（図６等）、図９の表示条件指定画面９０１に示すように、日付フォルダ９０２（選択項目）をカレンダ９０３上に表示するようにしてもよい。
【００６６】
この場合、利用者は、選択項目と共に表示される表示条件（日付等）だけでなく、カレンダにより瞬時に、選択項目が示す表示条件（日付等）を認識することができる。すなわち、利用者は、カレンダ表示に基づいて直感的に所望の日付、画像を選択することができる。
【００６７】
尚、画像出力装置は、画像データ一覧を画像データファイル内の簡易画像データ（サムネイル画像データ、縮小画像データ）に基づいて表示し、詳細画像を画像データファイル内の詳細画像データ（通常の画像データ、実画像データ、拡大画像データ）に基づいて表示するようにしてもよい。この場合、画像データファイルのフォーマット形式としては、例えば、簡易画像データ及び実画像データを１ファイルに保持するＥＸＩＦ（Ｅｘｃｈａｎｇｅａｂｌｅ  Ｉｍａｇｅ  Ｆｉｌｅ  Ｆｏｒｍａｔ）形式等を用いることができる。
【００６８】
以上説明したように、本発明の実施の形態によれば、画像出力装置は、利用者が指定した表示条件（撮影日付等）に基づいて、画像データの一覧を表示するので、利用者は、表示条件を指定することにより、所望の画像データに容易に辿り着くことができる。また、画像出力装置は、表示条件に該当する画像データのみを一覧表示するので、利用者にとって不必要な画像データについて処理することがなく、迅速処理及び操作性の向上を図ることができる。
【００６９】
また、図４〜図９等に示す処理を行うプログラムをＣＤ−ＲＯＭ等の記録媒体に保持させて流通させてもよいし、このプログラムを通信回線を介して送受することもできる。
【００７０】
以上、添付図面を参照しながら、本発明にかかる画像出力装置等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００７１】
【図１】画像出力装置１０１の構成を示すブロック図
【図２】画像出力装置１０１の外観斜視図
【図３】画像出力装置１０１のハードウェア構成図
【図４】画像出力装置１０１の動作を示すフローチャート
【図５】画像データの取得処理、表示処理における、画像出力装置１０１の動作を示すフローチャート
【図６】画像データの取得処理、表示処理における、画像出力装置１０１の処理の流れを示す図
【図７】日付単位、週単位、月単位、年単位の選択項目（フォルダ）の一態様を示す図
【図８】日付フォルダ８０１（選択項目）における代表画像の切替処理の説明図
【図９】表示条件指定画面９０１の一態様を示す図
【符号の説明】
【００７２】
１０１………画像出力装置
１１１………画像データ読込書込手段
１１２………画像編集合成手段
１１３………素材データベース
１１４………プリント手段
１１５………注文内容入力手段
１１６………課金手段
１１７………表示手段
１１８………表示条件指定手段
１２３………記録媒体（メディア）
２０１………モニタ画面
２０２………メディア挿入口
３０１………制御部
３０６………各種メディア読取書込部（１〜ｎ）
３０７………モニタ
６０１………表示条件指定画面
６０２………日付フォルダ（選択項目）
６０３………日付
６０４………代表画像
６０５………画像データ数
９０１………表示条件指定画面
９０２………日付フォルダ
９０３………カレンダ
【図１】
2005119083.tif 000003
【図２】
2005119083.tif 000004
【図３】
2005119083.tif 000005
【図４】
2005119083.tif 000006
【図５】
2005119083.tif 000007
【図６】
2005119083.tif 000008
【図７】
2005119083.tif 000009
【図８】
2005119083.tif 000010
【図９】
2005119083.tif 000011